(57)【要約】      （修正有）【課題】施錠忘れが無くかつ操作性に優れた自転車の自動キーロック装置を提供する。【解決手段】駐輪操作と施錠操作を連動させ、駐輪即施錠という操作により、駐輪時の施錠忘れや、狭い駐輪スペースでの施錠の煩わしさから解放され、駐輪時のスタンド１３の起立動作のストロークＬ１に着目し馬蹄形錠（円形錠）のロックキー４のストロークＬ２とをステンレス撚線５により連動させることにより自動キーロック可能な装置を設置し、駐輪操作＝施錠操作になり、施錠を容易にすると共に、キー１９の抜き忘れ防止も兼ね使用者の精神的負担を軽減する安全な駐輪装置である。【選択図】図１
0003112909.tif 000002
【実用新案登録請求の範囲】
【請求項１】
自転車の車体を起立保持するためのスタンドの起立又は解除動作に連動して、後輪に設置された盗難防止用馬蹄形錠（円形錠）の、施錠及び解錠を行い、狭い収納場所等において施錠動作を簡略にし、施錠忘れを防止し施錠動作はスタンドの起立又は解除の動作の範囲を示す動線Ｌ１の距離と、馬蹄形錠の解錠と施錠の動作範囲を示す距離Ｌ２とが略一致する部位に、線材と弾性部材で連結する事により作動する事を特徴とする自転車の自働キーロック装置。
【請求項２】
自転車を起立させ、その場を離れるとき、キー部分と衣服の一部分をクリップ等で連結しておくことにより、キーを抜かないと自転車から離れられないよう警告する事を特徴とする請求項目１に記載の自転車の自働キーロック装置。
【考案の詳細な説明】
【技術分野】
【０００１】  自転車の駐輪に際して不可欠な要素は、棒状、及びＵ字型の可動式のスタンドと称される車体の支持器具を接地面に固定することにより自転車の起立を保持し駐輪を可能とする装置が必要とされる。このスタンドの起立操作と馬蹄形錠（円形錠）の施錠動作を連動させることにより駐輪時に自動的にキーをロックするものである。
【背景技術】
【０００２】  簡易な交通手段として気軽に生活の場にとけ込んでいる自転車は、普及度も高く経済的な交通器具として普及した反面、違法駐輪等の社会問題や、手軽に移動出来ることから盗難も多い。そのため従来の簡易錠では簡単に解錠や破壊されたりして、盗難防止に役立たないことが多い。そこに登場したのが、馬蹄形錠（円形錠）と言われる解錠、破壊しにくい錠であるが、狭いスペースに駐輪し、かつ、施錠することは、比較的面倒で作業しにくい。スタンドの起立操作で自動的にキーがロック出来れば、狭い場所でも駐輪即施錠という動作が連動成立する。
この簡便性は時としてキーの抜き忘れを招き、施錠した意味が無くなる。そこでキーの抜き忘れに対する工夫を必要とするため、伸縮性の高い螺旋状の合成樹脂ワイヤー等でキーと身体の一部を連結することにより、自転車を離れるときにはキーを抜かなければならないよう配慮しかつキーの抜き忘れと紛失防止にも役立たせようとするものである。
【考案が解決しようとする課題】
【０００３】  駐輪時に狭いスペースや立地条件の悪いところでは、施錠の困難さや面倒くささから施錠しなかったり、忘れたりする事も多く盗難事故が多発していた。
【課題を解決するための手段】
【０００４】  自転車を駐輪するとき、スタンドを起立させる動作と、施錠動作を連動させオートロックさせる事により、施錠の煩わしさや、狭いスペースでも簡単に施錠出来るようにし、キーの抜き忘れ防止も身体的負担がないような方法で工夫している。
【考案の効果】
【０００５】  駐輪時に於けるスタンドの起立操作に連動して、自動的にキーがロックされ、駐輪→施錠→キーの抜き取りという操作性の煩雑さが無くなり、駐輪→キー抜き取り（抜き取り忘れ防止機能付き）で肉体的、心理的負担を軽減する。
【考案を実施するための最良の形態】
【０００６】    駐輪動作が即キーロックを自動的に行うため、後部車体フレーム１に取り付けられている馬蹄形錠（円形錠）ロックレバー４と駐輪用スタンド１３の収納状態から駐輪時車体起立保持の動作時の動線長Ｌ１を利用しロックレバー４の可動線長Ｌ２とスタンド１３の可動線長Ｌ１を同一にすることによりスタンドの位置調整可能な保持具１１（図３参照）とロックレバー４（図４参照）とをステンレス撚線５で連結することにより駐輪動作により図５の形態となり自働ロックされる。ステンレス撚線の保護と動作性の保持は図２の後輪前進方向性の調整具９のボルト・ナットを利用しアルミ製のチューブ６と支持金具８を取り付けロックレバー４（図４参照）とスタンド１３の動きの動作のバラツキを図３のコイルバネ１０（図３参照）で吸収調整している。
【実施例】
【０００７】    図１の３〜１３が自動キーロック装置の概要で図２のロックレバー４、図３の４がその部分図で構成され馬蹄形錠（円形錠）の作動状態を図４，図５に示す。駐輪時にスタンド１３を立てると、図３の１２に連結されたコイルバネ１１とそれに連結したステンレス撚線５がガイドチューブ６を経てロックレバー４を引き下げ、図５の５によりオートロックされ、ワイヤーが馬蹄形錠をロック動作するときのスタンド１３、ステンレス撚線５の遊び調整用のコイルバネ１１を備えて確実にオートロックされる。キー１９（図６）は伸縮性のあるコイル状の合成樹脂製のワイヤー２１に接続され他端はクリップ２２に接続されており衣服等に挟み止めることにより抜き忘れを防止するう工夫している。
【産業上の利用可能性】
【０００８】    この自動キーロック装置は、駐輪即施錠という機能を持ち使用者がキーを掛け忘れを防止し、キーの抜き忘れにも対応し使用者の精神的負担をも軽減すると言う効果を発揮するものである。
【図面の簡単な説明】
【０００９】
【図１】本案の実施状態を示す自動キーロック装置の概要図である。
【図２】自動キーロック装置のステンレス撚線のアルミチューブのガイド部分と取り付け部分を示す図である。
【図３】スタンド部へのワイヤー取り付け部分図を示す要部の拡大図である。
【図４】馬蹄形錠（円形錠）の解錠状態を示す図である。
【図５】馬蹄形錠（円形状）の施錠状態を示す図である。
【図６】キー抜き忘れ防止装備の概要を示す図である。
【符号の説明】
【００１０】    Ｌ１  起立スタンド動線長（Ｌ１≒Ｌ２）
Ｌ２  馬蹄形錠（円形錠）動線長
１  後部フレーム（斜行部）
２  後部フレーム（水平部）
３  馬蹄形錠（円形錠）
４  ロックレバー
５  ステンレス撚線ワイヤー
６  ワイヤーガイドアルミチューブ
７  ワイヤーガイド取付部
８  ワイヤーガイド保持金具
９  車軸調整金具兼保持金具固定ビスナット
１０  遊び調整バネ
１１  ステンレス撚線保持金具
１２  保持金具位置調整兼固定ボルト、ナット
１３  起立スタンド
１４  後輪車軸固定ナット
１５  起立スタンド固定軸
１６  フェンダー
１７  タイヤ
１８  リム
１９  馬蹄形錠・キー
２０  スポーク
２１  伸縮螺旋状ケーブル
２２  衣服等固定フック
【図１】
0003112909.tif 000003
【図２】
0003112909.tif 000004
【図３】
0003112909.tif 000005
【図４】
0003112909.tif 000006
【図５】
0003112909.tif 000007
【図６】
0003112909.tif 000008
【手続補正書】
【提出日】平成17年4月21日(2005.4.21)
【手続補正２】
【補正対象書類名】実用新案登録請求の範囲
【補正対象項目名】全文
【補正方法】変更
【補正の内容】
【実用新案登録請求の範囲】
【請求項１】
自転車の車体を起立保持するスタンドと、該自転車の後輪に設置された盗難防止用馬蹄形錠とを有し、
該盗難防止用馬蹄形錠に設けられた施錠及び解錠を行うロックレバーと、該ロックレバーと前記スタンドの一端とを連結し、前記スタンドの起立又は解除動作に連動して前記盗難防止用馬蹄形錠の施錠及び解錠動作を行うワイヤー等の線材とを備えたことを特徴とする自転車の自動キーロック装置。
【請求項２】
前記盗難防止用馬蹄形錠の解錠キーと、前記自転車運転者の衣服の一部を連結する合成樹脂ワイヤー等の線材とを有することを特徴とする請求項１に記載の自転車の自動キーロック装置。
【手続補正３】
【補正対象書類名】明細書
【補正対象項目名】全文
【補正方法】変更
【補正の内容】
【考案の詳細な説明】
【技術分野】
【０００１】  自転車の駐輪に際して不可欠な要素は、棒状、及びＵ字型の可動式のスタンドと称される車体の支持部材を接地面に固定することにより自転車の起立を保持し駐輪を可能とする装置が必要とされる。
本考案は、このスタンドの起立操作と馬蹄形錠（円形錠）の施錠動作を連動させることにより駐輪時に自動的にキーをロックすることができるようにした自転車の自動キーロック装置に関するものである。
【背景技術】
【０００２】  簡易な交通手段として気軽に生活の場にとけ込んでいる自転車は、普及度も高く経済的な交通手段として普及した反面、違法駐輪等の社会問題や、手軽に移動出来ることから盗難も多い。そのため、従来の簡易錠では簡単に解錠や破壊されたりして、盗難防止に役立たない面もある。
そこに登場したのが、馬蹄形錠ないしは円形錠と言われる解錠、破壊しにくい錠である。【０００３】  しかしながら狭いスペースに駐輪し、かつ、そのような錠に施錠することは、面倒で作業しにくい。一方、スタンドの起立操作で自動的にキーがロック出来れば、狭い場所でも駐輪即施錠という動作が連動して行われるので便利である。【０００４】  かかる簡便性は、時としてキーの抜き忘れを招き、施錠した意味が無くなる。そこで、そのようなキーの抜き忘れと、また、キーの紛失防止にも役立つような操作が簡単で安価な装置が求められている。
【考案が解決しようとする課題】
【０００５】  前記のように、駐輪時に狭いスペースや立地条件の悪いところでは、施錠の困難さや面倒くささから施錠しなかったり、忘れたりする事も多く盗難事故が多発していた。
【課題を解決するための手段】
【０００６】  本考案は上記の課題を解決するためになされたもので、請求項１に記載の考案は、自転車の車体を起立保持するスタンドと、該自転車の後輪に設置された盗難防止用馬蹄形錠とを有し、
該盗難防止用馬蹄形錠に設けられた施錠及び解錠を行うロックレバーと、前記スタンドの一端とを連結し、前記スタンドの起立又は解除動作に連動して前記盗難防止用馬蹄形錠の施錠及び解錠動作を行うワイヤー等の線材とを備えたことを特徴とする自転車の自動キーロック装置である。
【０００７】  上記の構成により、自転車を駐輪するとき、スタンドを起立させる動作と、施錠動作を連動させオートロックさせることができ、施錠の煩わしさや、狭いスペースでも簡単に施錠できる利点が生じる。
【０００８】請求項２に記載の考案は、前記盗難防止用馬蹄形錠の解錠キーと、自転車運転者の衣服の一部を連結する合成樹脂ワイヤー等の線材とを有することを特徴とする自転車の自動キーロック装置である。
【０００９】上記の構成により、解錠キーは、自転車運転者の衣服に連結されているので、キーの抜き忘れや紛失防止を図ることができる。
【考案の効果】
【００１０】  駐輪時におけるスタンドの起立操作に連動して、自動的にキーがロックされるため、施錠の煩わしさや、狭いスペースでも簡単に施錠できる。また、駐輪、施錠、キーの抜き取りという操作性の煩雑さが無くなるとともに、駐輪、キー抜き取り（抜き取り忘れ防止機能付き）で肉体的、心理的負担を軽減することができる。
【考案を実施するための最良の形態】
【００１１】  駐輪動作が即キーロックを自動的に行うため、後部車体フレーム１に取り付けられている馬蹄形錠（円形錠）ロックレバー４と駐輪用スタンド１３の収納状態から駐輪時車体起立保持の動作時の動線長Ｌ１を利用しロックレバー４の可動線長Ｌ２とスタンド１３の可動線長Ｌ１を同一にすることによりスタンドの位置調整可能な保持具１１（図３参照）とロックレバー４（図４参照）とをステンレス撚線５で連結することにより駐輪動作により図５の形態となり自働ロックされる。ステンレス撚線の保護と動作性の保持は図２の後輪前進方向性の調整具９のボルト・ナットを利用しアルミ製のチューブ６と支持金具８を取り付けロックレバー４（図４参照）とスタンド１３の動きの動作のバラツキを図３のコイルバネ１０（図３参照）で吸収調整している。
【実施例】
【００１２】    図１の３〜１３が自動キーロック装置の概要で図２のロックレバー４、図３の４がその部分図で構成され馬蹄形錠（円形錠）の作動状態を図４，図５に示す。駐輪時にスタンド１３を立てると、図３の１２に連結されたコイルバネ１１とそれに連結したステンレス撚線５がガイドチューブ６を経てロックレバー４を引き下げ、図５の５によりオートロックされ、ワイヤーが馬蹄形錠をロック動作するときのスタンド１３、ステンレス撚線５の遊び調整用のコイルバネ１１を備えて確実にオートロックされる。キー１９（図６）は伸縮性のあるコイル状の合成樹脂製のワイヤー２１に接続され他端はクリップ２２に接続されており衣服等に挟み止めることにより抜き忘れを防止するう工夫している。
【産業上の利用可能性】
【００１３】  この自動キーロック装置は、駐輪即施錠という機能を持ち使用者がキーを掛け忘れを防止し、キーの抜き忘れにも対応し使用者の精神的負担をも軽減できると言う効果を発揮するものである。
また、上記の実施例では、馬蹄形錠（円形錠）の自動キーロック装置について、図示し説明したが、必ずしもそのような形状のものに限定されるものではなく、要は、スタンドの起立又は解除動作に連動して車輪をロックするための出没手段が移動できるように構成することにより各種形状のキーロック装置に利用可能である。
【図面の簡単な説明】
【００１４】
【図１】  本案の実施状態を示す自動キーロック装置の概要図である。
【図２】  自動キーロック装置のステンレス撚腺のアルミチューブのガイド部分と取り付け部分を示す図である。
【図３】  スタンド部へのワイヤー取り付け部分図を示す要部の拡大図である。
【図４】  馬蹄形錠（円形錠）の解錠状態を示す図である。
【図５】  馬蹄形錠（円形状）の施錠状態を示す図である。
【図６】  キー抜き忘れ防止装備の概要を示す図である。
【符号の説明】
【００１５】Ｌ１  起立スタンド動線長（Ｌ１≒Ｌ２）
Ｌ２  馬蹄形錠（円形錠）動線長
１  後部フレーム（斜行部）
２  後部フレーム（水平部）
３  馬蹄形錠（円形錠）
４  ロックレバー
５  ステンレス撚線ワイヤー
６  ワイヤーガイドアルミチューブ
７  ワイヤーガイド取付部
８  ワイヤーガイド保持金具
９  車軸調整金具兼保持金具固定ビスナット
１０  遊び調整バネ
１１  ステンレス撚線保持金具
１２  保持金具位置調整兼固定ボルト、ナット
１３  起立スタンド
１４  後輪車軸固定ナット
１５  起立スタンド固定軸
１６  フェンダー
１７  タイヤ
１８  リム
１９  馬蹄形錠・キー
２０  スポーク
２１  伸縮螺旋状ケーブル
２２  衣服等固定フック